【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
所持者から受取人への物品の受け渡しを支援するシステムであって、
複数のエリアに各々１個以上配設され、対応する解錠手段により収納物の取り出しが可能となる物品収納室と、
制御装置であって、受取人が物品の受け取りを希望するエリアの指定を受け付ける受付手段と、受付手段により受け付けたエリアに配設されている１個以上の物品収納室から、受取人が受け取る物品を収める物品収納室を特定する特定手段と、受取人に対して、特定手段により特定した物品収納室の場所の情報と解錠手段とを与える受付確認手段と、所持者に対して、特定手段により特定した物品収納室の場所の情報と解錠手段とを与えると共に、特定した物品収納室に受取人に渡す物品を収納する旨の指示を出す注文処理手段と、から成る制御装置と、
から構成されていることを特徴とする物品の受け渡し支援システム。
【請求項２】
制御装置と各物品収納室との間には、情報のやり取りを行うための第１通信手段が設けられており、
各物品収納室は、物品の収納の有無を検知し、第１通信手段を介して、制御装置に検知結果の情報を伝える検知手段を備え、
制御装置が備える特定手段は、受付手段により受け付けたエリアに配設されている１個以上の物品収納室の内、検知結果の情報から空いていると確認された物品収納室を特定することを特徴とする請求項１記載の物品の受け渡し支援システム。
【請求項３】
更に、制御装置と情報のやり取りを行うための第２通信手段と、特定手段により特定された物品収納室に物品が収納されたことを制御装置に報告する報告手段と、を備える所持者の端末を備え、
制御装置は、特定手段により特定された物品収納室に物品が収納されたことの報告を受けた場合に、受取人に対して、納品完了を報告する配送完了報告手段を備えることを特徴とする請求項２記載の物品の受け渡し支援システム。
【請求項４】
物品収納室は、解錠キーNo.の入力手段を備えており、対応する解錠手段である解錠キーNo.の入力に応じて物品収納室に収納された物品が取り出し可能になり、
制御装置の備える受付確認手段は、解錠手段として、特定手段により特定された物品収納室の解錠キーNo.を受取人に通知すると共に、注文処理手段は、解錠手段として、特定手段により特定された物品収納室の解錠キーNo.を所持者に通知することを特徴とする請求項１乃至請求項３の何れかに記載の物品の受け渡し支援システム。
【請求項５】
各物品収納室は、解錠キーNo.を記憶するキー管理部と、指定された解錠キーNo.をキー管理部に記憶させる設定手段とを備え、
制御装置の注文処理手段は、特定手段により特定された物品収納室の設定手段に、解錠キーNo.を指定することを特徴とする請求項４記載の物品の受け渡し支援システム。
【請求項６】
制御装置の注文処理手段は、第１通信手段を介して、特定手段により特定された物品収納室に、キー管理部に記憶させる解錠キーNo.だけでなく、受取人用の解錠キーNo.を伝え、
物品収納室は、第１通信手段を介して、送られてくる受取人用の解錠キーNo.を記憶する記憶手段と、検知手段により物品が納められたことを検知した場合に、記憶手段に記憶している受取人用の解錠キーNo.をキー管理部に記憶させる更新手段とを備えたこと、
を特徴とする請求項５記載の物品の受け渡し支援システム。
【請求項７】
所持者が複数存在し、制御装置の注文処理手段は、受取人の指定する物品の受け取りを希望するエリアに最寄の所持者に対し、特定手段により特定した物品収納室の場所の情報及び解錠手段を与えると共に、該物品収納室に受取人に渡す物品を収納する旨の指示を出すことを特徴とする請求項１乃至請求項６の何れかに記載の物品の受け渡し支援システム。
【請求項８】
所持者が商品の販売業者であり、受取人が商品の購入者であり、物品が購入者の購入した商品であることを特徴とする請求項１乃至請求項７の何れかに記載の物品の受け渡し支援システム。
【請求項９】
更に、ネットワーク回線を介して制御装置に接続され、制御装置が備える受付手段に対して、受取人が物品の受け取りを希望するエリアの指定を行う指定手段を有する端末を備えていることを特徴とする請求項８記載の物品の受け渡し支援システム。
【請求項１０】
複数のエリアに各々１個以上設けられ、対応する解錠手段により收納物品の取り出しが可能となる複数の物品収納室と、受取人と所持者との間に介在する制御装置とで構成される物品の受け渡し支援システムにおける、制御装置が実行する所持者から受取人への物品の受け渡し支援方法であって、
受取人が物品の受け取りを希望するエリアの指定を受け付け、受け付けたエリアに配設されている１個以上の物品収納室の内から、受取人が受け取る物品を収める物品収納室を特定する特定工程と、
受取人に、特定工程において特定した商品収納室の場所についての情報と解錠手段とを与える受付確認工程と、
所持者に、特定工程において特定した物品収納室の場所についての情報と解錠手段とを与えると共に、受取人が受け取る物品を特定した商品収納室に収めるように指示する注文処理工程と、
を含むことを特徴とする物品の受け渡し支援方法。
【請求項１１】
更に、制御装置と各物品収納室との間に、情報のやり取りを行うための第１通信手段を備え、各物品収納室は、物品の収納の有無を検知し、第１通信手段により制御装置に検知結果の情報を伝える検知手段を備えている、物品の受け渡し支援システムであって、
制御装置は、特定工程において、受付手段により受け付けたエリアに配設されている１個以上の物品収納室の内、検知結果の情報から空いていると確認された物品収納室を特定することを特徴とする請求項１０記載の物品の受け渡し支援方法。
【請求項１２】
更に、制御装置と情報のやり取りを行うための第２通信手段と、特定手段により特定された物品収納室に物品が収納されたことを制御装置に報告する報告手段と、を備える所持者の端末を備えている、物品の受け渡し支援システムであって、
制御装置は、所持者の端末の報告手段から、特定工程において特定された物品収納室に物品が収納されたことの報告を受けた場合に、受取人に納品完了を報告する納品完了報告工程を実行することを含むことを特徴とする請求項１１記載の物品の受け渡し支援方法。
【請求項１３】
所持者が複数存在し、注文処理工程では、受取人の指定する物品受け取りを希望するエリアに最寄の所持者に対して、特定手段により特定した物品収納室の場所の情報及び解錠手段を与えると共に、該物品収納室に受取人に渡す物品を収納する旨の指示を出すことを特徴とする請求項１０乃至請求項１２の何れかに記載の物品の受け渡し支援方法。
【請求項１４】
所持者が商品の販売業者であり、受取人が商品の購入者であり、物品が購入者の購入した商品であることを特徴とする請求項１０乃至請求項１３の何れかに記載の物品の受け渡し支援方法。
【請求項１５】
解錠キーNo.を記憶するキー管理部と、解錠キーNo.の入力手段とを備え、入力手段により入力された解錠キーNo.がキー管理部に記憶する解錠キーNo.と一致した場合に、收納物品の取り出しが可能となる物品収納室と、物品収納室と情報のやり取りする第１通信手段により接続され、第１通信手段を介して、物品収納室に所持者用の解錠キーNo.と、所持者用の解錠キーNo.と異なる受取人用の解錠キーNo.とを指定する注文処理手段を有する制御装置と、で成り、
更に、物品収納室は、受取人用の解錠キーNo.の記憶手段と、制御装置の注文処理手段から第１通信手段を介して伝えられる所持者用の解錠キーNo.と受取人用の解錠キーNo.との指定に応じて、所持者用の解錠キーNo.をキー管理部に記憶させると共に、受取人用の解錠キーNo.を記憶手段に記憶させる設定手段と、所持者用の解錠キーNo.の使用を検出する検出手段と、を備え、
設定手段は、検出手段が所持者用の解錠キーNo.の使用を検出した場合、記憶手段に記憶している受取人用の解錠キーNo.を、解錠キーNo.としてキー管理部に記憶させることを特徴とする所持者から受取人への物品の受け渡し支援システム。
【請求項１６】
検出手段は、物品収納室への物品の収納を検知することにより、所持者用の解錠キーNo.の使用を検出することを特徴とする請求項１５記載の所持者から受取人への物品の受け渡し支援システム。
【手続補正２】
【補正対象書類名】明細書
【補正対象項目名】０００５
【補正方法】変更
【補正の内容】
【０００５】
【課題を解決するための手段】
本発明の請求項１の所持者から受取人への物品の受け渡しを支援するシステムは、所持者から受取人への物品の受け渡しを支援するシステムであって、複数のエリアに各々１個以上配設され、対応する解錠手段により収納物の取り出しが可能となる物品収納室と、制御装置であって、受取人が物品の受け取りを希望するエリアの指定を受け付ける受付手段と、受付手段により受け付けたエリアに配設されている１個以上の物品収納室から、受取人が受け取る物品を収める物品収納室を特定する特定手段と、受取人に対して、特定手段により特定した物品収納室の場所の情報と解錠手段とを与える受付確認手段と、所持者に対して、特定手段により特定した物品収納室の場所の情報と解錠手段とを与えると共に、特定した物品収納室に受取人に渡す物品を収納する旨の指示を出す注文処理手段と、から成る制御装置と、から構成されていることを特徴とする。
【手続補正３】
【補正対象書類名】明細書
【補正対象項目名】０００６
【補正方法】変更
【補正の内容】
【０００６】
本発明の請求項２の物品の受け渡し支援システムは、請求項１記載の物品の受け渡し支援システムであって、制御装置と各物品収納室との間には、情報のやり取りを行うための第１通信手段が設けられており、各物品収納室は、物品の収納の有無を検知し、第１通信手段を介して、制御装置に検知結果の情報を伝える検知手段を備え、制御装置が備える特定手段は、受付手段により受け付けたエリアに配設されている１個以上の物品収納室の内、検知結果の情報から空いていると確認された物品収納室を特定することを特徴とする。
【手続補正４】
【補正対象書類名】明細書
【補正対象項目名】０００７
【補正方法】変更
【補正の内容】
【０００７】
本発明の請求項３の物品の受け渡し支援システムは、請求項２の物品の受け渡し支援システムであって、更に、制御装置と情報のやり取りを行うための第２通信手段と、特定手段により特定された物品収納室に物品が収納されたことを制御装置に報告する報告手段と、を備える所持者の端末を備え、制御装置は、特定手段により特定された物品収納室に物品が収納されたことの報告を受けた場合に、受取人に対して、納品完了を報告する配送完了報告手段を備えることを特徴とする。
【手続補正５】
【補正対象書類名】明細書
【補正対象項目名】０００８
【補正方法】変更
【補正の内容】
【０００８】
本発明の請求項４の物品の受け渡し支援システムは、請求項１乃至請求項３の何れかの物品の受け渡し支援システムであって、物品収納室は、解錠キーNo.の入力手段を備えており、対応する解錠手段である解錠キーNo.の入力に応じて物品収納室に収納された物品が取り出し可能になり、制御装置の備える受付確認手段は、解錠手段として、特定手段により特定された物品収納室の解錠キーNo.を受取人に通知すると共に、注文処理手段は、解錠手段として、特定手段により特定された物品収納室の解錠キーNo.を所持者に通知することを特徴とする。
【手続補正６】
【補正対象書類名】明細書
【補正対象項目名】０００９
【補正方法】変更
【補正の内容】
【０００９】
本発明の請求項５の物品の受け渡し支援システムは、請求項４の物品の受け渡し支援システムであって、各物品収納室は、解錠キーNo.を記憶するキー管理部と、指定された解錠キーNo.をキー管理部に記憶させる設定手段とを備え、制御装置の注文処理手段は、特定手段により特定された物品収納室の設定手段に、解錠キーNo.を指定することを特徴とする。
【手続補正７】
【補正対象書類名】明細書
【補正対象項目名】００１０
【補正方法】変更
【補正の内容】
【００１０】
本発明の請求項６の物品の受け渡し支援システムは、請求項５の物品の受け渡し支援システムであって、制御装置の注文処理手段は、第１通信手段を介して、特定手段により特定された物品収納室に、キー管理部に記憶させる解錠キーNo.だけでなく、受取人用の解錠キーNo.を伝え、物品収納室は、第１通信手段を介して、送られてくる受取人用の解錠キーNo.を記憶する記憶手段と、検知手段により物品が納められたことを検知した場合に、記憶手段に記憶している受取人用の解錠キーNo.をキー管理部に記憶させる更新手段とを備えたこと、を特徴とする。
【手続補正８】
【補正対象書類名】明細書
【補正対象項目名】００１１
【補正方法】変更
【補正の内容】
【００１１】
本発明の請求項７の物品の受け渡し支援システムは、請求項１乃至請求項６の何れかの物品の受け渡し支援システムであって、所持者が複数存在し、制御装置の注文処理手段は、受取人の指定する物品の受け取りを希望するエリアに最寄の所持者に対し、特定手段により特定した物品収納室の場所の情報及び解錠手段を与えると共に、該物品収納室に受取人に渡す物品を収納する旨の指示を出すことを特徴とする。
【手続補正９】
【補正対象書類名】明細書
【補正対象項目名】００１２
【補正方法】変更
【補正の内容】
【００１２】
本発明の請求項８の物品の受け渡し支援システムは、請求項１乃至請求項７の何れかの物品の受け渡し支援システムであって、所持者が商品の販売業者であり、受取人が商品の購入者であり、物品が購入者の購入した商品であることを特徴とする。
【手続補正１０】
【補正対象書類名】明細書
【補正対象項目名】００１３
【補正方法】変更
【補正の内容】
【００１３】
本発明の請求項９の物品の受け渡し支援システムは、請求項８の物品の受け渡し支援システムであって、更に、ネットワーク回線を介して制御装置に接続され、制御装置が備える受付手段に対して、受取人が物品の受け取りを希望するエリアの指定を行う指定手段を有する端末を備えていることを特徴とする。
【手続補正１１】
【補正対象書類名】明細書
【補正対象項目名】００１４
【補正方法】変更
【補正の内容】
【００１４】
本発明の請求項１０の物品の受け渡し支援方法は、複数のエリアに各々１個以上設けられ、対応する解錠手段により收納物品の取り出しが可能となる複数の物品収納室と、受取人と所持者との間に介在する制御装置とで構成される物品の受け渡し支援システムにおける、制御装置が実行する所持者から受取人への物品の受け渡し支援方法であって、受取人が物品の受け取りを希望するエリアの指定を受け付け、受け付けたエリアに配設されている１個以上の物品収納室の内から、受取人が受け取る物品を収める物品収納室を特定する特定工程と、受取人に、特定工程において特定した商品収納室の場所についての情報と解錠手段とを与える受付確認工程と、所持者に、特定工程において特定した物品収納室の場所についての情報と解錠手段とを与えると共に、受取人が受け取る物品を特定した商品収納室に収めるように指示する注文処理工程と、を含むことを特徴とする。
【手続補正１２】
【補正対象書類名】明細書
【補正対象項目名】００１５
【補正方法】変更
【補正の内容】
【００１５】
本発明の請求項１１の物品の受け渡し方法は、請求項１０の物品の受け渡し支援方法であって、更に、制御装置と各物品収納室との間に、情報のやり取りを行うための第１通信手段を備え、各物品収納室は、物品の収納の有無を検知し、第１通信手段により制御装置に検知結果の情報を伝える検知手段を備えている、物品の受け渡し支援システムであり、制御装置は、特定工程において、受付手段により受け付けたエリアに配設されている１個以上の物品収納室の内、検知結果の情報から空いていると確認された物品収納室を特定することを特徴とする。
また、本発明の請求項１２の物品の受け渡し方法は、請求項１１の物品の受け渡し支援方法であって、更に、制御装置と情報のやり取りを行うための第２通信手段と、特定手段により特定された物品収納室に物品が収納されたことを制御装置に報告する報告手段と、を備える所持者の端末を備えている、物品の受け渡し支援システムであり、制御装置は、所持者の端末の報告手段から、特定工程において特定された物品収納室に物品が収納されたことの報告を受けた場合に、受取人に納品完了を報告する納品完了報告工程を実行することを含むことを特徴とする。
また、本発明の請求項１３の物品の受け渡し支援方法は、請求項１０乃至請求項１２の何れかの物品の受け渡し支援方法であって、所持者が複数存在し、注文処理工程では、受取人の指定する物品受け取りを希望するエリアに最寄の所持者に対して、特定手段により特定した物品収納室の場所の情報及び解錠手段を与えると共に、該物品収納室に受取人に渡す物品を収納する旨の指示を出すことを特徴とする。
また、本発明の請求項１４の物品の受け渡し支援方法は、請求項１０乃至請求項１３の何れかの物品の受け渡し支援方法であって、所持者が商品の販売業者であり、受取人が商品の購入者であり、物品が購入者の購入した商品であることを特徴とする。
【手続補正１３】
【補正対象書類名】明細書
【補正対象項目名】００１６
【補正方法】変更
【補正の内容】
【００１６】
本発明の請求項１５の物品の受け渡し支援システムは、解錠キーNo.を記憶するキー管理部と、解錠キーNo.の入力手段とを備え、入力手段により入力された解錠キーNo.がキー管理部に記憶する解錠キーNo.と一致した場合に、收納物品の取り出しが可能となる物品収納室と、物品収納室と情報のやり取りする第１通信手段により接続され、第１通信手段を介して、物品収納室に所持者用の解錠キーNo.と、所持者用の解錠キーNo.と異なる受取人用の解錠キーNo.とを指定する注文処理手段を有する制御装置と、で成り、更に、物品収納室は、受取人用の解錠キーNo.の記憶手段と、制御装置の注文処理手段から第１通信手段を介して伝えられる所持者用の解錠キーNo.と受取人用の解錠キーNo.との指定に応じて、所持者用の解錠キーNo.をキー管理部に記憶させると共に、受取人用の解錠キーNo.を記憶手段に記憶させる設定手段と、所持者用の解錠キーNo.の使用を検出する検出手段と、を備え、設定手段は、検出手段が所持者用の解錠キーNo.の使用を検出した場合、記憶手段に記憶している受取人用の解錠キーNo.を、解錠キーNo.としてキー管理部に記憶させることを特徴とする。
また、本発明の請求項１６の物品の受け渡し支援システムは、請求項１５の物品の受け渡し支援システムであって、検出手段は、物品収納室への物品の収納を検知することにより、所持者用の解錠キーNo.の使用を検出することを特徴とする。
【手続補正１４】
【補正対象書類名】明細書
【補正対象項目名】００５５
【補正方法】変更
【補正の内容】
【００５５】
【発明の効果】
本発明の請求項１の物品の受け渡し支援システムは、複数のエリアの内、指定するエリアに設けた物品収納室を利用して、物品の受け渡しを行うことができる。これにより、任意の時間に指定するエリアで物品を受け取ることが可能となり、受取人が受け取り場所で待機する必要が無くなる。
【手続補正１５】
【補正対象書類名】明細書
【補正対象項目名】００５６
【補正方法】変更
【補正の内容】
【００５６】
本発明の請求項２の物品の受け渡し支援システムは、請求項１のシステムであって、制御装置が備える特定手段は、各物品収納室が備えている検知手段の情報により、空いている収納室を、受取人が受け取る物品を納める収納室に特定することができる。
【手続補正１６】
【補正対象書類名】明細書
【補正対象項目名】００５７
【補正方法】変更
【補正の内容】
【００５７】
本発明の請求項３の物品の受け渡し支援システムは、請求項２のシステムであって、制御装置が備える配送完了報告手段は、所持者の端末の報告手段から、物品収納室に物品が収納されたことの報告を受けた場合に、受取人に対して、納品完了を報告することができる。
【手続補正１７】
【補正対象書類名】明細書
【補正対象項目名】００５８
【補正方法】変更
【補正の内容】
【００５８】
本発明の請求項４の物品の受け渡し支援システムは、請求項１乃至請求項３の何れかのシステムであって、解錠手段として解錠キーNo.を用いる。これにより、受取人と離れていても、インターネット、ＦＡＸ、電話等で解錠キーNo.の通知を行うことができる。
【手続補正１８】
【補正対象書類名】明細書
【補正対象項目名】００５９
【補正方法】変更
【補正の内容】
【００５９】
本発明の請求項５の物品の受け渡し支援システムは、請求項４のシステムであって、解錠キーNo.が更新可能なものであり、物品収納室に収納された物品の不正な持ち出しを防止することができる。
【手続補正１９】
【補正対象書類名】明細書
【補正対象項目名】００６０
【補正方法】変更
【補正の内容】
【００６０】
本発明の請求項６の物品の受け渡し支援システムは、請求項５のシステムであって、物品の所有者と受取人とで異なる解錠手段を用意することで、納品された物品が不正に持ち出されることを、より効果的に防止することができる。
【手続補正２０】
【補正対象書類名】明細書
【補正対象項目名】００６１
【補正方法】変更
【補正の内容】
【００６１】
本発明の請求項７の物品の受け渡し支援システムは、第１乃至第６の何れかのシステムであって、複数の所有者の内、使用する物品の収納室に最寄りの所有者に物品の収納を指示することができる。これにより、受取人は、より迅速に物品を受け取ることができる。
【手続補正２１】
【補正対象書類名】明細書
【補正対象項目名】００６２
【補正方法】変更
【補正の内容】
【００６２】
本発明の請求項８の物品の受け渡し支援システムは、所有者が販売業者、受取人が購入者、物品が購入者の購入した商品であるとするが、該構成を採用することにより、販売業者は、購入者が不在でも、商品の配送が可能となり、購入者は、物品収納室に物品（商品）が納められた後は、任意の時間に受け取ることが可能になる。また、納品エリアを選択することで、例えば、遠方への出張の際、出向先の物品収納室で必要なものを受け取ることが可能になる。
【手続補正２２】
【補正対象書類名】明細書
【補正対象項目名】００６３
【補正方法】変更
【補正の内容】
【００６３】
本発明の請求項９の物品の受け渡し支援システムは、請求項８のシステムであって、ネットワーク回線を介して制御装置に接続され、受取人が物品の受け取りを希望するエリアの指定を行う指定手段を有している端末を備えたことにより、制御装置から離れた場所からでも、ネットワーク回線を利用して納品エリアの指定を行うことができる。
【手続補正２３】
【補正対象書類名】明細書
【補正対象項目名】００６４
【補正方法】変更
【補正の内容】
【００６４】
本発明の請求項１０の物品の受け渡し支援方法は、複数のエリアの内、指定するエリアに設けた物品収納室を利用して物品のやりとりを行うことができる。これにより、任意の時間に指定するエリアで物品を受け取ることが可能となり、受取人が受け取り場所で待機する必要が無くなる。
【手続補正２４】
【補正対象書類名】明細書
【補正対象項目名】００６５
【補正方法】変更
【補正の内容】
【００６５】
本発明の請求項１１の物品の受け渡し支援方法は、請求項１０の支援方法であって、制御装置は、物品が収納の有無から空いている物品収納室を検知し、受取人が受け取る物品を納める収納室として特定することができる。
また、本発明の請求項１２の物品の受け渡し支援方法は、請求項１１の支援方法であって、制御装置は、特定手段により特定された物品収納室に物品の収納が完了したことを、受取人に報告することができる。これにより、納品後の任意の時間に、指定するエリアで物品を受け取ることが可能となり、受取人が受け取り場所で待機する必要が無くなる。
また、本発明の請求項１３の物品の受け渡し支援方法は、請求項１０乃至請求項１２の何れかの支援方法であって、複数の所有者の内、使用する物品の収納室に最寄りの所有者に物品の収納を指示することができる。これにより、受取人は、より迅速に物品を受け取ることができる。
また、本発明の請求項１４の物品の受け渡し支援方法は、請求項１０乃至請求項１３の何れかの支援方法であって、所有者が販売業者、受取人が購入者、物品が購入者の購入した商品であるとするが、該構成を採用することにより、販売業者は、購入者が不在でも、商品の配送が可能となり、購入者は、物品収納室に物品（商品）が納められた後は、任意の時間に受け取ることが可能になる。また、納品エリアを選択することで、例えば、遠方への出張の際、出向先の物品収納室で必要なものを受け取ることが可能になる。
【手続補正２５】
【補正対象書類名】明細書
【補正対象項目名】００６６
【補正方法】変更
【補正の内容】
【００６６】
本発明の請求項１５の物品の受け渡し支援システムは、物品収納室は、所持者用の解錠キーNo.の使用後、該物品収納室の解錠キーNo.を、受取人用の解錠キーNo.に設定変更することにより、所持者が物品収納室に物品を収容する際に使用した解錠キーNo.を見た者が、物品を不正に取り出すことを、効果的に防止することができる。
また、本発明の請求項１６の物品の受け渡し支援システムは、請求項１５のシステムであって、物品収納室は、物品の収納を検知することにより、所持者用の解除キーが使用されたことを検出し、該物品収納室の解錠キーNo.を、受取人用の解錠キーNo.に設定変更する。従って、所持者が物品収納室に物品を収納する際に使用した解錠キーNo.を見た者が、物品を不正に取り出すことを、一層効果的に防止することができる。